(57)【要約】【課題】双方向盗難防止リモコンの表示装置の提供。【解決手段】本双方向盗難防止リモコンの表示装置は、内部に回路板が配置されたケースと、該ケースの表面に設けられたカラースクリーンと、該ケースの該カラースクリーンが設けられた面に設けられた補助指示ランプと、を包含し、盗難防止機能がトリガされる時、補助指示ランプが異なる点滅方式或いは異なる色で、節電と自動車状態の有効な告知を達成する。且つ、該表示装置には、ホトセンサを増設可能で、それにより光線が強くなった時に自動的に選択切換えを実行してもとのカラーパターンを強光下で見やすい白黒パターン或いはその他のパターンに切換えて表示し、使用操作時に車両状態を一目で了解でき使用に便利である。【選択図】図１
0003149898.tif 000002
【実用新案登録請求の範囲】
【請求項１】
内部に回路板が配置されたケースと、
該ケースの表面に設けられたカラースクリーンと、
該ケースの該カラースクリーンが設けられた面に設置された補助指示ランプと、
を包含し、盗難防止機能がトリガされた時にそのことを該カラースクリーンを起動せずに該補助指示ランプにより表示し、自動車状態の表示と節電を達成することを特徴とする、双方向盗難防止リモコンの表示装置。
【請求項２】
請求項１記載の双方向盗難防止リモコンの表示装置において、該補助指示ランプが発光ダイオードとされて異なる点滅方式或いは異なる色で自動車状態を表示することを特徴とする、双方向盗難防止リモコンの表示装置。
【請求項３】
請求項１記載の双方向盗難防止リモコンの表示装置において、該カラースクリーンがタッチパネルであることを特徴とする、双方向盗難防止リモコンの表示装置。
【請求項４】
請求項１記載の双方向盗難防止リモコンの表示装置において、該ケースの該カラースクリーンの設けられた面にホトセンサが設けられ、強い光を受けた時に該カラースクリーンを黒白表示モードに自動的に切り換えることを特徴とする、双方向盗難防止リモコンの表示装置。
【請求項５】
請求項１記載の双方向盗難防止リモコンの表示装置において、該ケースの該カラースクリーンの設けられた面にホトセンサが設けられ、強い光を受けた時に該カラースクリーンのタッチキーをコントラストの明確なパターンに切り換えることを特徴とする、双方向盗難防止リモコンの表示装置。
【考案の詳細な説明】
【技術分野】
【０００１】
本考案は一種の双方向盗難防止リモコンの表示装置に係り、特に、補助指示ランプの設置により節電と異なる点滅方式或いは異なる色による自動車状態の有効な告知を達成し、また、光線が強まるともとのカラーパターンから見やすい白黒パターン或いはその他のパターンに自動切換え表示し、使用操作時に一目瞭然で便利であるものに関する。
【背景技術】
【０００２】
自動車は現代の重要な交通工具であり、生活に便利さをもたらしたが、盗難にあうことも多く、オーナーにとっては頭が痛い問題となっている。このため、市場にある多くの盗難防止器から選んで取り付けることで、泥棒が侵入する第１時間内に警告を発して有効に威嚇を行うことができる。
【０００３】
科学技術の進歩により、新時代の盗難防止器はますます多元化しており、数々の安全防護機能により泥棒から完全に守ることも可能となった。且つこのような盗難防止器はほとんどが双方向リモコンと組み合わされ、実用上、その吸引力がアップしており、音声と振動による提示のほか、液晶ディスプレイで車のオーナーに車の現在状態を告知することができる。早期に使用されていた表示装置は一般に単色ＬＣＤが使用され、その長所は低コストで節電できることであり、節電できるために応用時には経常的に表示を維持でき、一目で車の状態を掌握できる。
【０００４】
ただし、最先進の盗難防止リモコンはその吸引力をアップするため、カラースクリーンが採用されるようになってきており、例えば、Ｃｏｌｏｒ  ＴＦＴ、Ｃｏｌｏｒ  ＳＴＮ、ＯＬＥＤディスプレイなどがある。その欠点は使用時には比較的電力を消耗するため、節電のためにカラースクリーンを経常的に不表示であるオフ状態として、必要時にスクリーンを起動しなければならないことである。且つ盗難防止機能がトリガされる時、音声と振動で提示するほか、自動的にカラースクリーンを起動して自動車の盗難防止機能がトリガされた状態を表示し、その後でスクリーンをシャットダウンしなければならない。間断的音声により自動車の盗難防止機能前にトリガされたことを提示することもできるが、車のオーナーが即時にスクリーンを見ないと、光と音声の提示も電力を消耗し、常時電池交換しなければ正常機能を維持できない。
【０００５】
このほかこのようなカラースクリーンは非常に注目を集めるが、製造コストと歩留りが違うと品質の善し悪しも異なる。一般に普通のカラースクリーンの表示効果は悪くないが、室内或いはあまり明るくない状況でなければスクリーンに表示されるパターンを明かに見ることはできず、この状態を有効に改善しようとすれば、コストが非常に高く太陽光下で見やすいパターンのカラースクリーンを用いなければならない。しかし、そうするとコストアップし製品の競争力が下がる。
【考案の概要】
【考案が解決しようとする課題】
【０００６】
本考案の主要な目的は、一種の双方向盗難防止リモコンの表示装置を提供することにあり、それはカラースクリーン設置面に補助指示ランプを増設することで、盗難防止機能トリガ時に異なる点滅方式或いは異なる色で、自動車状態を告知すると共に節電を達成するものとする。
【０００７】
本考案の別の目的は、一種の双方向盗難防止リモコンの表示装置を提供することにあり、それは光線が強くなると自動的に表示を切換え、もとのカラーパターンから黒白表示或いは強烈な太陽光下でも明かに見えるパターンに切換え、使用操作時に一目で表示内容が分かり便利であるものとする。
【課題を解決するための手段】
【０００８】
上述の目的を達成するため、本考案の双方向盗難防止リモコンの表示装置は、内部に回路板が配置されたケースと、該ケースの表面に設けられたカラースクリーンと、該ケースの該カラースクリーンが設けられた面に設けられた補助指示ランプと、を包含し、盗難防止機能がトリガされる時、補助指示ランプが異なる点滅方式或いは異なる色で、節電と自動車状態の有効な告知を達成する。且つ、該表示装置には、ホトセンサを増設可能で、それにより光線が強くなった時に自動的に選択切換えを実行してもとのカラーパターンを強光下で見やすい白黒パターン或いはその他のパターンに切換えて表示し、使用操作時に表示内容を一目で了解でき使用に便利である。
【考案の効果】
【０００９】
本考案の双方向盗難防止リモコンの表示装置は、補助指示ランプの設置により節電と異なる点滅方式或いは異なる色による自動車状態の有効な告知を達成し、また、光線が強まるともとのカラーパターンから見やすい白黒パターン或いはその他のパターンに自動切換え表示し、使用操作時に一目瞭然で便利である。
【図面の簡単な説明】
【００１０】
【図１】本考案の立体外観図である。
【図２】本考案の平面図である。
【図３】本考案の補助指示ランプの応用例図である。
【図４】本考案のホトセンサを増設した電気回路図である。
【図５】本考案の強い光の照射を受けた時の表示図である。
【図６】本考案の黒白表示への切換えの応用例図である。
【考案を実施するための形態】
【００１１】
図１〜図６に示されるように、本考案の双方向盗難防止リモコンの表示装置は、
内部に回路板（図示せず）が配置されたケース１と、
該ケース１の表面に設けられて、タッチパネル式とされ、タッチにより通電時にタッチキー２１を表示してクリックに供するカラースクリーン２と、
発光ダイオード（ＬＥＤ）とされて該ケース１の該カラースクリーン２を設けた面に設けられ、点滅或いは異なる色を発生できる補助指示ランプ３と、
を包含する。
【００１２】
これにより、盗難防止機能がトリガされると、補助指示ランプ３が異なる点滅方式或いは異なる色で表示し、カラースクリーン２に代わり盗難防止装置がトリガされたことを示す。車のオーナーは補助指示ランプ３の点滅或いは異なる色の表示を見た後、カラースクリーン２をオンして自動車の状態を見てチェックすることができ、経常的に盗難防止機能がトリガされているかをチェックする必要がなく、切断と随時自動車状態を掌握できる実用効果を達成する。
【００１３】
このほか、図４〜６に示されるように、本考案を実施するときには、ケースの該カラースクリーン２の設置面にホトセンサ４を増設可能で、ホトセンサ４が太陽等の強い光を感知した時、信号を発生してて制御回路１１に送り、もとのカラースクリーン２を自動的に黒白表示モードに切り換えるか、或いはコントラストのはっきりしたパターンに切換え、これにより使用者が強い光の下でも明確にタッチキー２１の位置が分かるようにし、正確な位置にタッチして正確にリモートコントロール操作が行えるようにする。環境光源が一般の輝度に回復するか或いは室内に進入した時、ホトセンサ４は即時感知し、信号を発生して制御回路１１に送り、カラースクリーン２を自動的にカラー表示に回復させ、双方向盗難防止リモコンを表示使用上、更に使用しやすくする。
【符号の説明】
【００１４】
１  ケース        １１  制御回路      ２  カラースクリーン    ２１  タッチキー
３  補助指示ランプ          ４  ホトセンサ
【図１】
0003149898.tif 000003
【図２】
0003149898.tif 000004
【図３】
0003149898.tif 000005
【図４】
0003149898.tif 000006
【図５】
0003149898.tif 000007
【図６】
0003149898.tif 000008